(57)【要約】【課題】  従来は、新聞等の収納箱の前面が開放されていない新聞等の収納箱が、机等の下のスペースに置かれたような場合は、新聞等を新聞等の収納箱に収納することが困難となる。また、従来のように新聞等の収納部が一段しか設けられていない場合は、新聞と新聞の折り込み広告を分別して収納することが困難となる。さらに、新聞等の収納部の素材がダンボール紙や厚紙等の紙材の場合は、新聞等を積み上げると重量が増すため、耐久性が問題となる【解決手段】  そこで本発明である新聞等の収容箱は、素材を樹脂や木材等とし、少なくとも前面と上面を開放し、新聞等の収容、取り出しを容易にし、また、第一下棚乃至第四下棚と、第一上棚乃至第四上棚を設けることにより、新聞等を分別して収容して別個に緊縛できることを目的とした。【選択図】  図１
2007045492.tif 000002
【特許請求の範囲】
【請求項１】
新聞、広告、雑誌等の収容箱で、
この収容箱の少なくとも上面と前面を開放し、
この収容箱に設けた側面及び背面並びに下棚に紐の挿入を許すガイド溝を開設し、
また、前記収容箱に設けた上棚を開閉自在に枢着し、該上棚に紐の挿入を許すガイド溝を開設し、
前記各ガイド溝に継がれる複数の孔を備えることを特徴とした新聞、広告、雑誌等の収容箱。
【請求項２】
請求項１に記載の新聞、広告、雑誌等の収容箱は、底板を設けることを特徴とした新聞、広告、雑誌等の収容箱。
【請求項３】
請求項１又は請求項２に記載の新聞、広告、雑誌等の収容箱において、
上棚が蝶番を介して開閉自在とし、該蝶番にストッパーを設けることを特徴とする新聞、広告、雑誌等の収容箱。
【請求項４】
請求項１又は請求項２又は請求項３に記載の新聞、広告、雑誌等の収容箱は半截形状の二分割方式とし、
この一方の半截形状の収容箱に他方の半截形状の収容箱を挿入することを特徴とする新聞、広告、雑誌等の収容箱。
【請求項５】
請求項１乃至請求項４に記載の新聞、広告、雑誌等の収容箱のガイド溝に継がれる略三角形、半截楕円形等からなる複数の孔を設けることを特徴とする新聞、広告、雑誌等の収容箱。
【請求項６】
請求項１乃至請求項５に記載の新聞、広告、雑誌等の収容箱が有する角部が曲面であることを特徴とする新聞、広告、雑誌等の収容箱。
【発明の詳細な説明】
【技術分野】
【０００１】
本発明は、新聞、広告、雑誌等の収納箱に関する。
【背景技術】
【０００２】
従来、新聞、広告、雑誌等（新聞等）を廃品回収等に出す場合は、望ましくは、新聞等を紐で緊縛すると便利である。しかし一般的には、新聞等の下に紐を通すために新聞等を持ち上げたうえで紐を通す必要があったため、肉体に負担がかかる作業であった。特に体力のない子供や女性、老人が新聞等を紐で緊縛するのは大変な重労働となっていた。
【０００３】
この点を解決するものとして「新聞雑誌収納箱」がある。この「新聞雑誌収納箱」は特開平８−８５５１０号で、その内容は、不要になった新聞雑誌等を持ち上げることなく一本の紐を用いて十字状に紐掛けして結束するものである（文献１）。
【０００４】
しかし、文献１は囲み部材で新聞雑誌を載せる受け板部が囲われているため、新聞雑誌を新聞雑誌収納箱の上部から受け板部に載せる必要があり、新聞雑誌収納箱の前面から新聞雑誌を受け板部に載せることができないため、例えば、新聞雑誌収納箱が机等の下のスペースに置かれて新聞雑誌収納箱と机との間に空間がないような場合は、新聞雑誌を新聞雑誌収納箱に収納することが困難となる。さらに、文献１は、新聞雑誌収納箱の作業用空間部に手を入れて紐を通して新聞、雑誌等を結ぶものであるが、該作業用空間部が広いため、該作業用空間部大きな荷物を入れた場合は、大きな荷物が邪魔となり、該作業用空間部に紐を通すことが困難となる虞がある。
【０００５】
また、新聞紙を収納箱の前面から収納することができるものとして「新聞受け」がある。この「新聞受け」は特開平１０−４５１１０号で、その内容は、底板と中板と左右前後側板と左右背面板により組み立てられ、前記中板上に突出部を設け、突出部間に十字状に紐通し溝を設け、突出部上に新聞収納部を設けているものである（文献２）。
【０００６】
しかし、文献２は、新聞紙を一回のみ折り畳んで収納するものであるので、「新聞受け」のサイズが大きくなってしまい、昨今の住宅事情を考慮すると「新聞受け」を置く場所が限られてしまう。また、突出部上には新聞収納部が一段しか設けられていないため、例えば、新聞と新聞の折り込み広告を分別して収納することが困難となる。さらに、一回のみ折り畳んだ場合、新聞紙が少量の場合は紐で緊縛することが困難となる場合があり、荷崩れを起こす虞がある。
【０００７】
さらに従来の新聞紙類を収容する箱は、樹脂板製の箱状や金属線材製の籠状であることから、折りたたみができず不便であり、箱体の折り曲げ、組み立てを容易にするものとして「新聞紙類ストッカー」がある。この「新聞紙類ストッカー」は、実開平５−８９２１０号で、その内容は、ダンボール紙や厚紙等の紙材で、折り畳み、組み立てできるように構成した箱体と紐収納あげ底からなり、該紐収納あげ底の上に新聞紙類を積み上げ、所定量に達した時、紐を引き出して適当な長さで切断して、両端を結ぶことにより十字状に緊縛し、緊縛した紐に手を掛けて持ち上げれば箱体から容易に抜き出せるというものである（文献３）。
【０００８】
しかし文献３は、新聞紙類が積み上げられる紐収納あげ底の素材がダンボール紙や厚紙等の紙材であるため、新聞紙類を積み上げると重量が増し、耐久性が問題となる場合がある。
【０００９】
【特許文献１】特開平８−８５５１０号
【特許文献２】特開平１０−４５１１０号
【特許文献３】実開平５−８９２１０号
【発明の開示】
【発明が解決しようとする課題】
【００１０】
収容箱に新聞等を収容することは、前記文献１から３において、その目的を達成している。しかし、その後の新聞等の緊縛において少々問題がある。
【００１１】
そこで本発明は文献１から３の上記問題点に鑑み、新聞等の収容箱において、第一下棚乃至第四下棚と第一上棚乃至第四上棚を設け、望ましくは、新聞等を分別して収容して別個に緊縛できることを目的とした。また、新聞等を緊縛する際、手の出し入れをスムーズにするため、新聞等の収容箱に上孔、下孔を設けた。そして、新聞等の収容箱に底板を設けて該底板に移動手段を設け、第一上棚乃至第四上棚が蝶番を介して開閉自在に枢着することを目的とした。さらに、新聞等の収容箱は二分割方式の半截形状とし、この一方の半截形状の収容箱に他方の収容箱を挿入することを目的とした。また、新聞等の収容箱の複数の孔の形状を略三角形、半截楕円形等とし、紐を持った手がスムーズに出し入れできることを目的とした。そして、新聞等の収容箱の角部を曲面とし怪我を防止することを目的とした。また、新聞等の収容箱の前面と上面を開放状態とし、収容、取り出しを容易にすることを目的とした。
【課題を解決するための手段】
【００１２】
第一発明の新聞等の収容箱は、この収容箱の少なくとも上面と前面を開放し、この収容箱に設けた側面及び背面並びに下棚に紐の挿入を許すガイド溝を開設し、また、前記収容箱に設けた上棚を開閉自在に枢着し、該上棚に紐の挿入を許すガイド溝を開設し、前記各ガイド溝に継がれる複数の孔を備えることを特徴とする。
【００１３】
第二発明の新聞等の収容箱は、請求項１に記載の新聞等の収容箱において底板を設けることを特徴とする。
【００１４】
第三発明の新聞等の収容箱は、請求項１又は請求項２に記載の新聞等の収容箱において、上棚が蝶番を介して開閉自在とし、該蝶番にストッパーを設けることを特徴とする。
【００１５】
第四発明の新聞等の収容箱は、請求項１又は請求項２又は請求項３に記載の新聞等の収容箱を半截形状の二分割方式とし、この一方の半截形状の収容箱に他方の収容箱を挿入することを特徴とする。
【００１６】
第五発明の新聞等の収容箱は、請求項１乃至請求項４に記載の新聞等の収容箱のガイド溝に継がれる略三角形、半截楕円形等からなる複数の孔を設けることを特徴とする。
【００１７】
第六発明の新聞等の収容箱は、請求項１乃至請求項５に記載の新聞等の収容箱が有する角部が曲面であることを特徴とする。
【発明の効果】
【００１８】
第一発明によれば、新聞等の収容箱の少なくとも上面と前面を開放しているため、新聞等の収容箱を例えば、机の下に置いた場合で上面が塞がっている場合であっても、前面から新聞等を入れることができる。また、上棚を設けることにより例えば、新聞や広告等を分別して収納し、緊縛することができる。
【００１９】
第二発明によれば、新聞等の収容箱に底板を設けていることから、新聞等の収容箱の安定度・強度が増すこととなる。
【００２０】
第三発明によれば、蝶番にストッパーを設けることにより、新聞等を載せた第一上棚乃至第四上棚を保持することができる。さらに、第一上棚乃至第四上棚が蝶番を介して開閉自在となっているため、上棚を使用しない場合は、上棚を閉じることができ上棚が邪魔にならず、第一下棚乃至第四下棚に新聞等を載せる場合に便利である。
【００２１】
第四発明によれば、新聞等の収容箱が半截形状となっており、半截形状の収容箱を繋ぎ合わせて新聞等の収容箱が完成する構成であるので、新聞等の収容箱を使用しない場合は分解してコンパクトにすることができる。
【００２２】
第五発明によれば、新聞等の収容箱のガイド溝に継がれる複数の孔が略三角形、半截楕円形等であるため、紐の端部を手に持って新聞等を紐で緊縛する場合に、スムーズに略三角形、半截楕円形等の孔に手を通すことができる。
【００２３】
第六発明によれば、新聞等の収容箱が有する角部が曲面であるため、紐で新聞等を緊縛する際、手が角部に触れた場合であっても怪我を負うことが少なくなる。特に乳幼児や老人のいる家庭等にあっては、転倒等によって新聞等の収容箱の角部に当たる場合も考えられるため、角部を曲面にすることは怪我防止に有益である。
【００２４】
また第一発明から第六発明によれば、新聞等の収容箱の少なくとも前面と上面が開放状態となっており、該前面、該上面から新聞等を日付け順に収容できるため、容易に必要な日付けの新聞等を取り出して再度読むことができる。また、上面のみしか開放されていない収容箱の場合は、一度新聞等を収容箱に入れてしまうと、新聞等を取り出すのが困難な場合があるが、本発明は前面も開放状態となっているため、新聞等が取り出しやすい。
【発明を実施するための最良の形態】
【００２５】
つぎに、本発明の実施形態に係る新聞等収容箱を図面に基づいて説明する。
【００２６】
図１は、本発明の左上面斜視図である。図２は、本発明の左側斜視図である。図３は、本発明の正面図である。第４図は、本発明の左側面図である。図５は、本発明の背面図である。図６は、本発明の第一上棚と第一窓部の要部拡大斜視図である。図７は、本発明の第一上棚の断面図である。図８は、本発明の第一上棚乃至第四上棚が閉じた状態の本発明の正面図である。図９は、本発明の右側面図である。図１０−１から図１０−３までは、本発明の実際の使用例を示した斜視図であり、第一下棚等に乗せた新聞等の緊縛方法の一例を示したものである。  図１１は、第一上棚等を全て開いた状態の左上面斜視図である。図１２は、第一下棚等及び第一上棚等に新聞等を実際に載せた状態の斜視図である。なお、理解を容易にするため、上棚を第一上棚乃至第四上棚と、下棚を第一上棚乃至第四下棚としたが、上棚、下棚は、新聞等を緊縛できれば数は問わない。
【００２７】
図１は、本発明の左上面斜視図である。本発明の新聞等の収容箱は、少なくとも上面Ａと前面Ｂが開放されており、その主要部は、第一前面板１ａ、第二前面板１ｂ、第一右側面板２ａ、第二右側面板２ｂ、第一左側面板３ａ、第二左側面板３ｂ、第一背面板４ａ、第二背面板４ｂ、底板５、第一下棚６ａ、第二下棚６ｂ、第三下棚６ｃ、第四下棚６ｄ、第一上棚７ａ、第二上棚７ｂ、第三上棚７ｃ、第四上棚７ｄから構成されている。
【００２８】
本発明である新聞等の収容箱の素材は、さまざまな種類のものが挙げられるが、一例として、合成樹脂素材や木材、ステンレス、アルミ等が挙げられる。また、例えば一枚の板を二枚に分断して第一右側面板２ａと第二右側面板２ｂとすることもできる。
【００２９】
第一前面板１ａと第二前面板１ｂとの間には、半截楕円形の下孔９を設けている。この下孔９は、新聞等２０を緊縛する際、紐１５を持った、例えば手が出入りし易い大きさ、形状であればどのような大きさ、形状であってもかまわないことは勿論である。
【００３０】
側面である第一右側面板２ａと第二右側面板２ｂとの間には、長手方向１９に新聞等２０を緊縛する紐１５を挿入するためのガイド溝８を設けている。
【００３１】
第一右側面板２ａに設けた第一下棚６ａ及び第二右側面板２ｂに設けた第二下棚６ｂと、第一右側面板２ａに設けた第一上棚７ａ及び第二右側面板２ｂに設けた第二上棚７ｂとの間に略三角形の上孔１０を設けている。この略三角形の上孔１０は、第一上棚７a乃至第四上棚７ｄに載せた新聞等２０を緊縛する際に使用するための孔である。
【００３２】
第一右側面板２ａに設けた第一下棚６ａ及び第二右側面板２ｂに設けた第二下棚６ｂと、第一右側面板２ａに設けた第一上棚７ａ及び第二右側面板２ｂに設けた第二上棚７ｂとの間に設けた略三角形の上孔１０の下方に半截楕円形の下孔９を設けている。この半截楕円形の下孔９は、第一下棚６ａ乃至第四下棚６ｄに載せた新聞等２０を緊縛する際に使用するための孔である。
【００３３】
第一右側面板２ａに第一上棚７ａを収容する第一窓部１１ａが、第二右側面板２ｂに第二上棚７ｂを収容する第二窓部１１ｂがあり、第一窓部１１ａに合致する大きさ、形状で第一上棚７aを、第二窓部１１ｂに合致する大きさ、形状で第二上棚７ｂを設けている。
【００３４】
第一上棚７a、第二上棚７ｂは開閉自在となっているため、第一上棚７aを使用しない場合は、第一上棚７ａを第一窓部１１ａに、第二上棚７ｂを使用しない場合は、第二上棚７ｂを第二窓部１１ｂに収容することができる。なお、収容する場合、第一上棚７ａ、第二上棚７ｂを係止する係止具を設け、収容してもよい。本図では第一右側面板２ａに第一上棚７aと第一窓部１１ａが、第二右側面板２ｂに第二上棚７ｂと第二窓部１１ｂが設けられているが、新聞等２０を載せて紐１５で緊縛することができれば上棚や窓部の個数は問わない。なお、第一上棚７ａ及び／又は第二上棚７ｂが開いた状態の場合は、第一窓部１１ａ、第二窓部１１ｂが把手となり、本発明である新聞等の収容箱を容易に持ち運ぶことができる。また下孔９と上孔１０は、新聞等２０を緊縛する際、紐１５を持った、例えば手が出入りし易い大きさ、形状であればどのような大きさであってもかまわないことは勿論である。
【００３５】
背面である第一背面板４ａと第二背面板４ｂとの間には、長手方向１９に新聞等２０を緊縛する紐１５を挿入するためのガイド溝８を設けている。そして、第一背面板４ａと第二背面板４ｂの間で、第一上棚７ａ乃至第四上棚７ｄと、第一下棚６ａ乃至第三下棚６ｄの間に略三角形の上孔１０を設けている。この略三角形の上孔１０は、第一上棚７ａ乃至第四上棚７ｄに載せた新聞等２０を緊縛する際に使用するための孔である。また上孔１０は、新聞等２０を緊縛する際、紐１５を持った、例えば手が出入りし易い大きさ、形状であればどのような大きさ、形状であってもかまわないことは勿論である。
【００３６】
側面である第一左側面板３ａと第二側面板３ｂとの間には、長手方向１９に新聞等２０を緊縛する紐１５を通すためのガイド溝８を設けている。そして、第一左側面板３ａと第二左側面板３ｂに設けた第三下棚６ｃ、第四下棚６ｄと第三上棚７ｃ、第四上棚７ｄとの間に略三角形の上孔１０を設けている。この略三角形の上孔１０は、第一上棚７a乃至第四上棚７ｄに載せた新聞等２０を緊縛する際に使用するための孔である。
【００３７】
第一左側面板３ａに設けた第三下棚６ｃと第二左側面板３ｂに設けた第四下棚６ｄの下方に半截楕円形の下孔９を設けている。この半截楕円形の下孔９は、第一下棚６ａ乃至第四下棚６ｄに載せた新聞等を緊縛する際に使用するための孔である。
【００３８】
第一左側面板３ａ及び第二左側面板３ｂに設けた上孔１０の上方に、第三上棚７ｃを収容する第三窓部１１ｃが、第四上棚７ｄを収容する第四窓部１１ｄがあり、第三窓部１１ｃに合致する大きさ、形状で第三上棚７ｃが、第四窓部１１ｄに合致する大きさ、形状で第四上棚７ｄを設けている。
【００３９】
第三上棚７ｃ、第四上棚７ｄは開閉自在となっているため、第三上棚７ｃ、第四上棚７ｄを使用しない場合は、第三窓部１１ｃに第三上棚７ｃを、第四窓部１１ｄに第四上棚７ｄを収容することができる。なお収容する場合、第三上棚７ｃ、第四上棚７ｄをそれぞれ係止する係止具を設けて収容することもできる。本図では第一左側面板３ａには第三上棚７ｃと第三窓部１１ｃが、第二左側面板３ｂには第四上棚７ｄと第四窓部１１ｄが設けられているが、新聞等２０を載せて紐１５で緊縛することができれば上棚や窓部の個数は問わない。
【００４０】
また下孔９と上孔１０は、新聞等２０を緊縛する際、紐１５を持った、例えば手が出入りし易い大きさ、形状であればどのような大きさ、形状であってもかまわないことは勿論である。
【００４１】
第一下棚６ａ、第二下棚６ｂ、第三下棚６ｃ、第四下棚６ｄの間には、新聞等を挿入するためのガイド溝８を設けている。ガイド溝８は新聞等２０を緊縛することができればどのようなものであってもよいが、一例を述べると、下棚を十文字型に切断して四分割して第一下棚６ａ、第二下棚６ｂ、第三下棚６ｃ、第四下棚６ｄとして、四分割した第一下棚６ａ、第二下棚６ｂ、第三下棚６ｃ、第四下棚６ｄ同士の間に十文字型のスペースを設け、そのスペースをガイド溝８とすることができる。
【００４２】
また、第一上棚７ａ、第二上棚７ｂ、第三上棚７ｃ、第四上棚７ｄ同士の間においても、十文字型のスペースを設けており、そのスペースをガイド溝８とする。
【００４３】
第一下棚６ａ、第二下棚６ｂ、第三下棚６ｃ、第四下棚６ｄ同士の間のガイド溝８と第一上棚７a、第二上棚７ｂ、第三上棚７ｃ、第四上棚７ｄ同士の間のガイド溝８の幅は、紐１５を掛けやすい幅であればどのような幅であってもよいことは勿論である。
【００４４】
また本図では、第一右側面板２ａと第二右側面板２ｂとの間の上孔１０、第一背面板４ａと第二背面板４ｂとの間の上孔１０、第一左側面板３ａと第二左側面板３ｂとの間の上孔１０は、それぞれ一つの略三角形で構成されているが、上孔１０を二つ以上にすることもできる。例えば、二つの上孔１０の略三角形の底辺同士が対峙するような構成とすることも可能である。この場合、二つの上孔１０の略三角形の底辺から底辺までの間に、ガイド溝８を設けない構成とすることも可能である。この二つの上孔１０の略三角形の底辺から底辺までの間に、ガイド溝８を設けない構成とした場合、主に、第一上棚７ａ乃至第四上棚７ｄに載せた新聞等２０を緊縛する場合に使用する。
【００４５】
また第一右側面板２ａと第二右側面板２ｂとの間の下孔９、第一背面板４ａと第二背面板４ｂとの間の下孔９、第一左側面板３ａと第二左側面板３ｂとの間の下孔９は、一つの半截楕円形で構成されているが、下孔９を二つ以上にすることもできる。例えば、二つの下孔９の半楕円形の底辺同士が対峙するような構成とすることも可能である。
【００４６】
また、新聞等の収容箱の底面に底板５を設けている。底板５と第一下棚６ａ乃至第四下棚６ｄのスペースには、新聞等２０を緊縛するための紐１５や、又はこの紐１５を切断するためのハサミを置くことができる。
【００４７】
なお図示してないが、第一下棚６ａ乃至第四下棚６ｄと底板５の間に補強板を設けることもできる。この補強板を設けることにより第一下棚６ａ乃至第四下棚６ｄに大量の新聞等２０を載せた場合の耐久性・安定性が増すこととなる。
【００４８】
第一右側面板２ａの第一窓部１１ａには蝶番１２を介して可動する第一上棚７ａが開閉自在に設けられている。また、第二右側面板２ｂの第二窓部１１ｂには蝶番１２を介して可動する第二上棚７ｂが開閉自在に設けられている。同様に、第一左側面板３ａの第三窓部１１ｃには蝶番１２を介して可動する第三上棚７ｃが開閉自在に設けられている。さらに、第二左側面板３ｂの第四窓部１１ｄには蝶番１２を介して可動する第四上棚７ｄが開閉自在に設けられている。
【００４９】
蝶番１２の数は、第一上棚７ａ乃至第四上棚７ｄが開閉自在となれば何個であってもかまわない。一例を挙げると、本図のように、第一上棚７ａ、第二上棚７ｂに蝶番１２を二個設ける他、第一上棚７ａ、第二上棚７ｂに蝶番１２を１個のみ設けることも可能である。また本図では、第一上棚７ａ乃至第四上棚７ｄに新聞等２０を載せた場合に、蝶番１２に第一上棚７ａ、第二上棚７ｂを支えることができるストッパー１３を設けている。ここでストッパー１３の素材は、金属、木材、樹脂等で、第一上棚７ａ、第二上棚７ｂが維持できるものであればどのような素材であってもかまわない。
【００５０】
さらに、本発明は、例えば右側面から見ると、第一窓部及び第二窓部が目で、上孔が鼻で、下孔が口といったように人間の顔のようにも見えるため、新聞誌等の収容箱の右側面板、左側面板にさまざまな塗装を施すことによって見る者の美的感覚を刺激し、視覚による心地よさを喚起する効果をも得ることができる。従って例えば、子供の情操教育等において有効利用できる。
【００５１】
図２は、本発明の左側斜視図である。図２の基本的な構成は、図１と同様である。
【００５２】
図３は、本発明の正面図である。本図では、第一上棚７a乃至第四上棚７ｄが開いた状態で、第一上棚７ａ乃至第四上棚７ｄに新聞等２０を載せた場合に、第一上棚７a乃至第四上棚７ｄを支えることができ、上述のとおり、第一上棚７a乃至第四上棚７ｄを閉じた状態にすることもできる。
【００５３】
第一右側面板２ａと第二背面板４ｂがコの字形に結合され、第一背面板４ａと第一左側面板３ａがコの字形に結合される。また、第二右側面板２ｂと第一前面板１ａがコの字形に結合され、第二左側面板３ｂと第二前面板１ｂがコの字形に結合される。
【００５４】
そして、第一前面板１ａ、第二前面板１ｂ、第一右側面板２ａ、第二右側面板２ｂ、第一左側面板３ａ、第二左側面板３ｂ、第一背面板４ａ、第二背面板４ｂの底面に底板５が設けられ、これらが一体化される。
【００５５】
底板５の下部には移動手段１４を設けており、大量に新聞等２０を載せて重量が増しても、容易に移動させることができる。本図での移動手段１４はキャスターであるが、重量が増した新聞等の収容箱を容易に移動させることができればどのようなものであってもかまわない。
【００５６】
第一背面板４ａと第二背面板４ｂとの間には、長手方向１９に新聞等を緊縛する紐１５を挿入するためのガイド溝８を設けている。そして、第一上棚７ａ乃至第四上棚７ｄと、第一下棚６ａ乃至第四下棚６ｄの間に略三角形の上孔１０を設け、第一下棚６ａ、第三下棚６ｃ下方に半截楕円形の下孔９を設けている。
【００５７】
第一前面板１ａと第二前面板２ｂの間で、第二下棚６ｂ、第四下棚６ｄの下方には、半截楕円形の手前側の下孔９を設けている。本図では、第一前面板１ａと第二前面板２ｂの間の手前側の下孔９の奥側に、第一背面板４ａと第二背面板４ｂの間の奥側の下孔９があり、第一背面板４ａと第二背面板４ｂの間の奥側の下孔９よりも第一前面板１ａと第二前面板２ｂの間の手前側の下孔９のほうが大きい構成となっている。このような構成は、紐１５を手前側の下孔９に挿入し易い。また、手前側の下孔９のほうが大きいと、第一下棚６ａ乃至第四下棚６ｄと底板５の間のスペースに紐１５や紐１５を切断するハサミ等を収容し易い。但し、紐１５を持った、例えば手が入り易い大きさ、形状であれば手前側の下孔９、奥側の下孔９は、どのような大きさ、形状であってもかまわない。
【００５８】
新聞等の収容箱が有する角部のうち、第一背面板４ａと第二背面板４ｂの上方で、ガイド溝８側の角部１８が丸みを帯びている。この角部１８を丸くすることによって、紐１５をガイド溝８に挿入するとき、手等が角部に当たった場合の怪我防止に有用である。
【００５９】
第一左側面板３ａの上孔１０の上方に第三上棚７ｃを収容する第三窓部１１ｃが、第二左側面板３ｂの上孔１０の上方に第四上棚７ｄを収容する第四窓部１１ｄがあり、第三窓部１１ｃに合致する大きさ、形状で第三上棚７ｃを設け、第四窓部１１ｄに合致する大きさ、形状で第四上棚７ｄを設けている。第三上棚７ｃ及び／又は第四上棚７ｄは、蝶番１２を介して開閉自在に設けられている。
【００６０】
第一右側面板２ａの上孔１０の上方に第一上棚７ａを収容する第一窓部１１ａが、第二右側面板２ｂの上孔１０の上方に第二上棚７ｂを収容する第二窓部１１ｂがあり、第一窓部１１ａに合致する大きさ、形状で第一上棚７ａを設け、第二窓部１１ｂに合致する大きさ、形状で第二上棚７ｂを設けている。第一上棚７ａ及び／又は第二上棚７ｂは、蝶番１２を介して開閉自在に設けられている。
【００６１】
第４図は、本発明の左側面図である。第一左側面板３ａと第二左側面板３ｂの間で長手方向１９に新聞等２０を緊縛する紐１５を挿入するためのガイド溝８を設けている。そして、第三窓部１１ｃ、第四窓部１１ｄの下方に略三角形の上孔１０を設けている。本図では第三上棚７ｃ、第四上棚７ｄは開いた状態となっているが、閉じることも可能である。上孔１０の下方に半截楕円形の下孔９を設けている。
【００６２】
第一左側面板３ａと第二左側面板３ｂの下部には底板５を設け、底板５の下部に移動手段１４であるキャスターを設けている。
【００６３】
図５は、本発明の背面図である。第一背面板４ａと第二背面板４ｂの間で長手方向１９に新聞等２０を緊縛する紐１５を挿入するためのガイド溝８を設けている。そして、上孔１０の下方に下孔９を設けている。
【００６４】
本発明の下部には、底板５を設け、底板５の下部に移動手段１４であるキャスターを設けている。
【００６５】
第一背面板４ａと第一左側面板３ａがコの字形に結合し、第二背面板４ｂと第一右側面板２ａがコの字形に結合する。
【００６６】
図６は、本発明の第一上棚７ａと第一窓部１１ａの要部拡大斜視図である。なお、一例として第一上棚７ａと第一窓部１１ａについて述べるが、第二上棚７ｂ、第三上棚７ｃ、第四上棚７ｄや第二窓部１１ｂ、第三窓部１１ｃ、第四窓部１１ｄも同様の構成である。
【００６７】
第一右側面板２ａの上方に第一上棚７ａを収容する第一窓部１１ａがあり、第一窓部１１ａに合致する大きさ、形状で第一上棚７ａを設けている。
【００６８】
新聞等の収容箱が有する角部のうち、第一上棚７ａと第一窓部１１ａの角部１８は、丸みを帯びており、手等が角部１８に当たった場合においても怪我防止に有用である。第一上棚７ａは、蝶番１２を介して開閉する。具体的には、蝶番１２の一端を第一窓部１１ａに設け、蝶番１２の他端を第一上棚７ａに設ける。本図では蝶番１２の数は２個であるが、新聞等２０を載せた第一上棚７ａを保持することが可能であれば何個であってもかまわないことは勿論である。また図示しないが、第一上棚７ａを第一窓部１１ａに収容する際に、第一上棚７ａを係止する係止具を設けることもできる。
【００６９】
図７は、第一上棚７ａの断面図である。なお、本図でも一例として第一上棚７ａについて述べるが、第二上棚７ｂ、第三上棚７ｃ、第四上棚７ｄも同様の構成である。
【００７０】
第一右側面板２ａの上孔１０の上方に第一上棚７ａを収容する第一窓部１１ａがあり、第一窓部１１ａに合致する大きさ、形状で第一上棚７ａを設けている。また、蝶番１２の一端を第一窓部１１ａに設け、蝶番１２の他端を第一上棚７ａに設ける。蝶番１２には、ストッパー１３を設けており、第一上棚７ａの上に広告等を載せた場合であってもストッパー１３によって第一上棚７ａを保持することができる。
【００７１】
図８は、本発明の第一上棚７ａ乃至第四上棚７ｄが閉じた状態の正面図である。基本的な構成は、図３と同様である。
【００７２】
図９は、本発明の右側面図である。基本的な構成は、図４と同様である。
【００７３】
図１０−１から図１０−３までは、本発明の実際の使用例を示した斜視図であり、第一下棚６ａ乃至第四下棚６ｄに乗せた新聞等２０の緊縛方法の一例を示したものである。
【００７４】
まず最初に図１０−１のように、第一前面板１ａと第二前面板１ｂとの間の手前側の下孔９から紐１５の先端を挿入して、反対側の第一背面板４ａと第二背面板４ｂとの間の奥側の下孔９から紐１５の先端を通過させる。そして、紐１５を上方に引っ張り、第一下棚６ａ乃至第四下棚６ｄに載せた新聞等２０を中心として新聞等２０の下方に紐１５を差し渡す。
【００７５】
次に図１０−２のように、新聞等の収容棚の上方で紐１５の一端の中程と他端の中程をクロス状にして、紐１５の一端の中程を第一右側面板２ａと第二右側面板２ｂとの間のガイド溝８に、紐１５の他端の中程を第一左側面板３ａと第二左側面板３ｂとの間のガイド溝８に挿入し、紐１５を下方に引っ張り、新聞等２０の上方に紐１５を差し渡す。
【００７６】
さらに、図１０−３のように、紐１５の一端を第一右側面板２ａと第二右側面板２ｂとの間に設けた下孔９から第一左側面板３ａと第二左側面板３ｂとの間に設けた下孔９に通し、新聞等２０の下方に紐１５を差し渡し、紐１５の一端の中程を第一左側面板３ａと第二左側面板３ｂとの間のガイド溝８に挿入する。そして、ガイド溝８に挿入した紐１５と新聞等２０を緊縛した新聞等２０の上方に差し渡した紐１５の他端の中程を巻回し、最後に新聞等２０の上方で紐１５を結んで緊縛する。その際、新聞等２０を持ち上げることなく新聞等を緊縛することができる。
【００７７】
また、第一上棚７ａ乃至第四上棚７ｄに載せた新聞等２０を紐１５で緊縛する場合も基本的な動作は図１０−１から図１０−３に示した動作と同様である。一例を述べると、まず最初に、紐１５を、第一上棚７ａ乃至第四上棚７ｄと第一下棚６ａ乃至第四下棚６ｄの間の前面Ｂから第一背面板４ａと第二背面板４ｂに設けた奥側の上孔１０に通す。そして、紐１５を上方に引っ張り、第一上棚７ａ乃至第四上棚７ｄに載せた新聞等２０を中心として新聞等２０の下方に紐１５を差し渡す。
【００７８】
新聞等の収納棚の上方で紐１５の一端の中程と紐１５の他端の中程をクロス状にして、紐１５の一端を第一右側面板２ａと第二右側面板２ｂとの間のガイド溝８に、紐１５の他端を第一左側面板３ａと第二左側面板３ｂとの間のガイド溝８に挿入し、紐１５をクロス状のまま下方に引っ張り、新聞等２０の上方に紐１５を差し渡す。
【００７９】
次に、紐１５の一端を第一右側面板２ａと第二右側面板２ｂとの間に設けた上孔１０から第一左側面板３ａと第二左側面板３ｂとの間に設けた上孔１０に通し、新聞等２０の下方に紐１５を差し渡す。
【００８０】
さらに、紐１５の一端の中程を第一左側面板３ａと第二左側面板３ｂの間のガイド溝８に挿入する。ガイド溝８に挿入した紐１５と新聞等２０を緊縛した新聞等２０の上方に差し渡した紐１５を巻回し、最後に新聞等２０の上方で紐１５を結んで緊縛する。その際、新聞等２０を持ち上げることなく新聞等を緊縛することができる。
【００８１】
図１１は、第一上棚７a乃至第四上棚７ｄを全て開いた状態の左上面斜視図である。基本的な構成は図１と同様である。
【００８２】
図１２は、本発明の第一下棚６ａ乃至第四下棚６ｄ及び第一上棚７ａ乃至第四上棚７ｄに新聞等２０を実際に載せた状態の斜視図である。本発明の基本的な構成は、図１と同様である。
【００８３】
また図示しないが、本発明である新聞等の収容箱を分断して２つの半截形状とし、一方の半截形状と他方の半截形状を結合する実施例について説明する。
【００８４】
本発明である新聞等の収容箱に底板５を設けた場合、底板５を２つに分断し、収容箱が２つの半截形状を構成するものが挙げられる。又は、第一右側面板２ａ、第二右側面板２ｂ、第一左側面板３ａ、第二左側面板３ｂ、第一背面板４ａ、第二背面板４ｂの略三角形の上孔１０の底辺を中心線として収容箱を上下に２つに分断し、収容箱が２つの半截形状を構成するものが挙げられる。
【００８５】
このように新聞等の収容箱を半截形状とすると、本発明を使用しない場合は収容箱をコンパクトにすることができる。
【００８６】
収容箱の２つの半截形状の結合部分は種々のものが考えられるが、一例を挙げると、一方の半截形状の底板５の結合部分が凹状に構成され、他方の半截形状の底板５の結合部分が凸状に構成され、一方の半截形状の底板５の凹状部分を他方の半截形状の底板５の凸状部分に挿入し、そのうえで、凹状部分と凸状部分が容易に分離できないようにネジ等で固定するものが考えられる。
【図面の簡単な説明】
【００８７】
【図１】本発明の左上面斜視図である。
【図２】本発明の左側斜視図である。
【図３】本発明の正面図である。
【図４】本発明の左側面図である。
【図５】本発明の背面図である。
【図６】本発明の第一上棚と第一窓部の要部拡大斜視図である。
【図７】本発明の第一上棚の断面図である。
【図８】本発明の第一上棚乃至第四上棚が閉じた状態の正面図である。
【図９】本発明の右側面図である。
【図１０−１】本発明の使用例を示した斜視図である。
【図１０−２】本発明の使用例を示した斜視図である。
【図１０−３】本発明の使用例を示した斜視図である。
【図１１】本発明の第一上棚乃至第四上棚を全て開いた状態の左上面斜視図である。
【図１２】本発明の第一下棚乃至第四下棚、第一上棚乃至第四上棚に新聞等を実際に載せた状態の斜視図である。
【符号の説明】
【００８８】
上面              Ａ
前面              Ｂ
側面              Ｃ
背面              Ｄ
第一前面板        １ａ
第二前面板        １ｂ
第一右側面板      ２ａ
第二右側面板      ２ｂ
第一左側面板      ３ａ
第二左側面板      ３ｂ
第一背面板        ４ａ
第二背面板        ４ｂ
底板              ５
第一下棚          ６ａ
第二下棚          ６ｂ
第三下棚          ６ｃ
第四下棚          ６ｄ
第一上棚          ７ａ
第二上棚          ７ｂ
第三上棚          ７ｃ
第四上棚          ７ｄ
ガイド溝          ８
下孔              ９
上孔              １０
第一窓部          １１ａ
第二窓部          １１ｂ
第三窓部          １１ｃ
第四窓部          １１ｄ
蝶番              １２
ストッパー        １３
移動手段          １４
紐                １５
角部              １８
長手方向          １９
新聞等            ２０
【図１】
2007045492.tif 000003
【図２】
2007045492.tif 000004
【図３】
2007045492.tif 000005
【図４】
2007045492.tif 000006
【図５】
2007045492.tif 000007
【図６】
2007045492.tif 000008
【図７】
2007045492.tif 000009
【図８】
2007045492.tif 000010
【図９】
2007045492.tif 000011
【図１０−１】
2007045492.tif 000012
【図１０−２】
2007045492.tif 000013
【図１０−３】
2007045492.tif 000014
【図１１】
2007045492.tif 000015
【図１２】
2007045492.tif 000016